【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
反応して反応生成物を生じる反応装薬を内包する貯蔵チャンバーを少なくとも部分的に形成し、少なくとも１つのランダムでない襞を有する、伸長可能な起爆剤のカップと、前記反応装薬に起爆を伝達する少なくとも１つの電気コネクターとを備えた、アクチュエーター装置を備え、
前記伸長可能な起爆剤のカップは、反応装薬の起爆の前は第１の長さを有し、反応装薬の起爆によって長手方向に第２の長さに伸び、第２の長さは第１の長さより長く、
更に、長手方向に伸びている穴を有し、前記伸長可能な起爆剤のカップが少なくとも部分的に前記穴に配置されている支持ハウジングを備え、
前記支持ハウジングが反応装薬の起爆による前記伸長可能な起爆剤のカップの横方向の伸びを効果的に制限し、前記支持ハウジングがない場合には、反応装薬の起爆により前記伸長可能な起爆剤のカップが破裂する、組立体。
【請求項２】
更に、穴の第１の端部に隣接し、反応装薬の起爆による前記伸長可能な起爆剤のカップの長手方向の伸びを効果的に制限するハウジング止端部を備えた、請求項１に記載の組立体。
【請求項３】
更に、伸長可能な起爆剤のカップとハウジング止端部との間に空洞部を備え、伸長可能な起爆剤のカップが第２の長さに伸びることにより、伸長可能な起爆剤のカップが前記空洞部内に進入する、請求項２に記載の組立体。
【請求項４】
前記伸長可能な起爆剤のカップが複数のランダムでない襞を備える、請求項１に記載の組立体。
【請求項５】
前記ランダムでない襞が波型を有する、請求項４に記載の組立体。
【請求項６】
前記伸長可能な起爆剤のカップがステンレススチールで成形されている、請求項１に記載の組立体。
【請求項７】
前記貯蔵チャンバーが密閉シールされている、請求項１に記載の組立体。
【請求項８】
前記反応生成物がガスを含む、請求項１に記載の組立体。
【請求項９】
前記反応装薬が火薬を備えた、請求項１に記載の組立体。
【請求項１０】
前記第１の長さと第２の長さの差が約４ミリメートルから約８ミリメートルである、請求項１に記載の組立体。
【請求項１１】
更に、前記伸長可能な起爆剤のカップとハウジング止端部との間に少なくとも一部分が配置される電気導体要素を備えた、請求項２に記載の組立体。
【請求項１２】
請求項１１に記載の組立体の電気導体要素を通る電気の伝導を妨げる方法であって、
少なくとも１つの電気コネクターを介する電気信号によって反応装薬の反応を起動し、
前記伸長可能な起爆剤のカップを第１の長さから第２の長さに長手方向に伸ばし、
前記伸ばされた伸長可能な起爆剤のカップで電気導体要素を分断する、方法。
【請求項１３】
前記伸長可能な起爆剤のカップが、前記電気導体要素と伝達を妨げるように配置され、反応装薬が起爆することにより、前記伸長可能な起爆剤のカップが、第１の長さから第２の長さに長手方向に伸びて、電気導体要素を通る電気の伝導を妨げる、請求項１１に記載の組立体。
【請求項１４】
前記伸長可能な起爆剤のカップが第１の長さから第２の長さへ長手方向に伸びることにより、前記伸長可能な起爆剤のカップが電気導体要素を切断する、請求項１３に記載の組立体。
【請求項１５】
更に、前記伸長可能な起爆剤のカップに関して配置された不導体のカッターを備え、前記伸長可能な起爆剤のカップが第１の長さから第２の長さへ伸びることにより、前記カッターが電気導体要素を切断する、請求項１４に記載の組立体。
【請求項１６】
前記電気導体要素が、前記伸長可能な起爆剤のカップとハウジング止端部との間に少なくとも部分的に配置された電気スイッチを備え、前記伸長可能な起爆剤のカップが電気スイッチと伝達を遮断するように配置され、前記伸長可能な起爆剤のカップが第１の長さから第２の長さへ長手方向に伸びることにより、前記伸長可能な起爆剤のカップが電気スイッチを遮断する、請求項１１に記載の組立体。
【請求項１７】
前記電気スイッチが第２の電気接点に電気的に接続された第１の電気接点を備え、前記伸長可能な起爆剤のカップが第１の長さから第２の長さへ伸びることにより、前記伸長可能な起爆剤のカップが第１と第２の電気接点を電気的に切断する、請求項１６に記載の組立体。
【請求項１８】
前記電気スイッチが緊急電源遮断スイッチである、請求項１６に記載の組立体。
【請求項１９】
前記電気導体要素が、前記伸長可能な起爆剤のカップとハウジング止端部との間に少なくとも部分的に配置された電気スイッチを備え、前記アクチュエーターの前記伸長可能な起爆剤のカップが、電気スイッチと伝達を接続するように配置され、前記伸長可能な起爆剤のカップが第１の長さから第２の長さへ長手方向に伸びることにより、前記伸長可能な起爆剤のカップが電気スイッチを接続する、請求項１１に記載の組立体。
【請求項２０】
前記電気スイッチが第２の電気接点から電気的に接続を切られた第１の電気接点を備え、前記伸長可能な起爆剤のカップが第１の長さから第２の長さへ長手方向に伸びることにより、前記伸長可能な起爆剤のカップが第１と第２の電気接点を電気的に接続する、請求項１９に記載の組立体。
【請求項２１】
前記伸長可能な起爆剤のカップが、第２の長さに伸びることにより、穴の第１端部を部分的に越えて伸びる、請求項１に記載の組立体。
【請求項２２】
電気導体要素を通る電気の伝導を妨げる組立体であって、
少なくとも１つのランダムでない襞を有し、反応して反応生成物を生じる反応装薬を内包する貯蔵チャンバーを少なくとも部分的に形成する伸長可能な起爆剤のカップと、前記反応装薬に起爆を伝達する少なくとも１つの電気コネクターとを備えた、アクチュエーター装置を備え、
前記伸長可能な起爆剤のカップは、反応装薬の起爆の前は第１の長さを有し、反応装薬の起爆によって長手方向に第２の長さに伸び、第２の長さは第１の長さより長く、
更に、長手方向に伸びている穴を有し、前記伸長可能な起爆剤のカップが少なくとも部分的に前記穴に配置されている支持ハウジングと、
前記支持ハウジングに接続され、前記穴の第１の端部に隣接し、反応装薬の起爆による前記伸長可能な起爆剤のカップの長手方向の伸びを効果的に制限する、ハウジング止端部と、
前記伸長可能な起爆剤のカップとハウジング止端部との間に少なくとも一部分が配置される電気導体要素とを備え、
前記伸長可能な起爆剤のカップが、電気導体要素と伝達を妨げるように配置され、反応装薬の起爆により、前記伸長可能な起爆剤のカップが第２の長さに伸びて、電気導体要素を通る電気の伝導を妨げ、前記支持ハウジング及びハウジング止端部がない場合には、反応装薬の起爆により前記伸長可能な起爆剤のカップが破裂する、組立体。
【請求項２３】
更に、伸長可能な起爆剤のカップとハウジング止端部との間に空洞部を備え、電気導体要素の１部が前記空洞部内に配置されている、請求項２２に記載の組立体。
【請求項２４】
前記伸長可能な起爆剤のカップが第１の長さから第２の長さへ伸びることにより、前記伸長可能な起爆剤のカップが電気導体要素を切断する、請求項２３に記載の組立体。
【請求項２５】
更に、前記伸長可能な起爆剤のカップに関して配置された不導体のカッターを備え、前記伸長可能な起爆剤のカップが第１の長さから第２の長さへ伸びることにより、前記カッターが電気導体要素を切断する、請求項２４に記載の組立体。
【請求項２６】
前記電気導体要素が、空洞部の中で、前記伸長可能な起爆剤のカップとハウジング止端部との間に、少なくとも部分的に配置された電気スイッチを備え、前記伸長可能な起爆剤のカップが、電気スイッチと伝達を遮断するように配置され、前記伸長可能な起爆剤のカップが第１の長さから第２の長さへ伸びることにより、前記伸長可能な起爆剤のカップが電気スイッチを遮断する、請求項２３に記載の組立体。
【請求項２７】
前記電気スイッチが第２の電気接点に電気的に接続された第１の電気接点を備え、前記伸長可能な起爆剤のカップが第１の長さから第２の長さへ伸びることにより、前記伸長可能な起爆剤のカップが第１と第２の電気接点を電気的に切断する、請求項２６に記載の組立体。
【請求項２８】
前記電気スイッチが緊急電源遮断スイッチである、請求項２６に記載の組立体。
【請求項２９】
前記伸長可能な起爆剤のカップが、第２の長さへ伸びることにより、空洞部の中へ部分的に進入する、請求項２６に記載の組立体。
【請求項３０】
前記伸長可能な起爆剤のカップが、複数のランダムでない襞を備えた、請求項２２に記載の組立体。
【請求項３１】
前記ランダムでない襞が波型を有する、請求項３０に記載の組立体。
【請求項３２】
請求項２２に記載の組立体を使用して電気スイッチを遮断する方法であって、
少なくとも１つの電気コネクターを介する電気信号によって反応装薬の反応を起動し、
前記伸長可能な起爆剤のカップを第１の長さから第２の長さに長手方向に伸ばし、
前記伸ばされた伸長可能な起爆剤のカップで電気スイッチを遮断する、方法。
【請求項３３】
前記アクチュエーター装置が長手方向の軸を有し、前記伸長可能な起爆剤のカップが襞を有し、襞によって伸長可能な起爆剤のカップの第１の部分と伸長可能な起爆剤のカップの第２の部分が重複し、伸長可能な起爆剤のカップの第１の部分と第２の部分の両方がアクチュエーター装置の前記長手方向の軸に平行に配置されている、請求項１に記載の組立体。
【請求項３４】
前記伸長可能な起爆剤のカップが伸長可能な端部を有し、前記組立体が、更に、伸長可能な端部に隣接して配置された可動要素を備える、請求項３３に記載の組立体。
【請求項３５】
前記伸長可能な起爆剤のカップの長手方向の伸びにより、前記可動要素が支持ハウジングの穴を越えて伸びる、請求項３４に記載の組立体。
【請求項３６】
前記アクチュエーター装置が長手方向の軸を有し、
前記伸長可能な起爆剤のカップが襞を有し、襞によって伸長可能な起爆剤のカップの第１の部分と伸長可能な起爆剤のカップの第２の部分が重複し、伸長可能な起爆剤のカップの第１の部分と第２の部分の両方がアクチュエーター装置の前記長手方向の軸に平行に配置されており、
前記伸長可能な起爆剤のカップが伸長可能な端部を有し、
前記組立体が、更に、伸長可能な端部に隣接して配置された可動要素を備え、前記伸長可能な起爆剤のカップの長手方向の伸びにより、前記可動要素が支持ハウジングの穴を越えて伸びる、請求項１に記載の組立体。
【請求項３７】
前記アクチュエーター装置が長手方向の軸を有し、前記伸長可能な起爆剤のカップが襞を有し、襞によって伸長可能な起爆剤のカップの第１の部分と伸長可能な起爆剤のカップの第２の部分が重複し、伸長可能な起爆剤のカップの第１の部分と第２の部分の両方がアクチュエーター装置の前記長手方向の軸に平行に配置されている、請求項２２に記載の組立体。
【請求項３８】
前記伸長可能な起爆剤のカップが伸長可能な端部を有し、前記組立体が、更に、前記伸長可能な端部に隣接して配置された可動要素を備える、請求項３７に記載の組立体。
【請求項３９】
前記伸長可能な起爆剤のカップの長手方向の伸びにより、前記可動要素が支持ハウジングの穴を越えて伸びる、請求項３８に記載の組立体。
【請求項４０】
前記アクチュエーター装置が長手方向の軸を有し、
前記伸長可能な起爆剤のカップが襞を有し、襞によって伸長可能な起爆剤のカップの第１の部分と伸長可能な起爆剤のカップの第２の部分が重複し、伸長可能な起爆剤のカップの第１の部分と第２の部分の両方がアクチュエーター装置の前記長手方向の軸に平行に配置されており、
前記伸長可能な起爆剤のカップが伸長可能な端部を有し、
前記組立体が、更に、伸長可能な端部に隣接して配置された可動要素を備え、前記伸長可能な起爆剤のカップの長手方向の伸びにより、前記可動要素が支持ハウジングの穴を越えて伸びる、請求項２２に記載の組立体。